Podtech/llm-jp-corpus-v4-ja_patent huggingface dataset:
(57)【要約】      （修正有）【課題】自転車業界において、市販されている変速機付自転車は、走行条件により手元操作にてギヤーを選択する手間がある。また、ペダルの踏力の軽減の為に電動アシスト自転車のように電動機を用いて、一定の速度まで補助する機構も実用化されている。しかし、従来の電動アシスト自転車は、電力を必要とするため二酸化炭素の排出量も一般的な自転車と比較すると多くなる場合がある。また、バッテリーへの事前充電が必要なために電池残量がない場合は、アシスト装置は余分な負荷となってしまう場合があった。さらにアシスト装置の制御が複雑な電子制御なため専門外では修理できない。【解決手段】クリーンなエネルギーを利用し、事前にエネルギーの充填を必要とせず、走行中にエネルギーの充填が必要な際には簡単に充填でき、なおかつ複雑な電子制御を必要としない圧縮空気利用型無段変速機を装着し、手元操作が不要で走行条件に応じた変速を可能とする。【選択図】図１
2011099549.tif 000002
【特許請求の範囲】
【請求項１】
タンク内に蓄積された圧縮空気を高負荷時に手元操作は行わず、外部動力を用いずにペダルの踏力軽減が出来る。
圧縮空気利用型無段変速機。
【請求項２】
前記の圧縮空気利用型無段変速機は、踏力および推進力（惰性）で駆動輪を駆動させると共に、空気（大気）を圧縮空気として充填するものであることを特徴とする。
請求項１記載の圧縮利用型無段変速機。
【請求項３】
前記の圧縮空気利用型無段変速機は、空気入れ等を使い事前に圧縮空気を充填する弁を合わせ持つものであることを特徴とする。
請求項１記載の圧縮空気利用型無段変速機。
【請求項４】
前記の圧縮空気利用型無段変速機は、ブレーキレバーを握ることで、無段変速機能を一時的に遮断できることを特徴とする。
請求項１記載の圧縮空気利用型無段変速機。
【請求項５】
前記の圧縮空気利用型無段変速機は、駆動輪負荷の割合により変速を無段階で自動調整することを特徴とする。
請求項１記載の圧縮空気利用型無段変速機。
【発明の詳細な説明】
【技術分野】
【０００１】この発明は、圧縮空気利用型無段変速機に関する。
【背景技術】
【０００２】自転車業界において、市販されている変速機付自転車は、走行条件により手元操作にてギヤーを選択する手間がある。また、ペダルの踏力の軽減の為に電動アシスト自転車のように電動機を用いて、一定の速度まで補助する機構も実用化されている。
【発明の開示】
【発明が解決しようとする課題】
【０００３】この発明は、クリーンなエネルギーを利用し、事前にエネルギーの充填を必要とせず、走行中にエネルギーが必要な際には簡単に充填でき、なおかつ複雑な電子制御を必要としない圧縮空気利用型無段変速機を装着し、手元操作が不要で走行条件に応じた変速を可能とする。
【課題を解決するための手段】
【０００４】以上の課題を解決するために、第一発明は、タンク内に蓄積された圧縮空気を高負荷時に手元操作は行わず、外部動力を用いずにペダルの踏力軽減が出来る、圧縮空気利用型無段変速機である。
第二発明は、踏力および推進力（惰性）で駆動輪を駆動させると共に、空気（大気）を圧縮空気として充填するものであることを特徴とする、圧縮空気利用型無段変速機である。
第三発明は、空気入れ等を使い、事前に圧縮空気を充填する弁を併せ持つことを特徴とする、圧縮空気利用型無段変速機である。
第四発明は、ブレーキレバーを握ることで、無段変速機能を一時的に遮断できることを特徴する、圧縮空気利用型無段変速機である。
第五発明は、駆動輪負荷の割合により変速を無段階で自動調整することを特徴とする、圧縮空気利用型無段変速機である。
【発明の効果】
【０００５】第一発明によれば、タンク内に蓄積された圧縮空気を使用することで、二酸化炭素の排出量も変わらない、圧縮空気利用型無段変速機となる。
第二発明によれば、踏力および推進力（惰性）で駆動輪を駆動させると共に、空気を圧縮空気として充填することで、事前充填が必要のない、圧縮空気利用型無段変速機となる。
第三発明によれば、空気入れ等を使い、必要時にも圧縮空気を充填する弁を併せ持つことで、充填時間を短縮することができる、圧縮空気利用型無段変速機となる。
第四発明によれば、ブレーキレバーを握ることで、無段変速機能を一時的に遮断することができ、同時に一般的な車両と変わらない走行ができる、圧縮空気利用型無段変速機となる。
第五発明によれば、駆動輪に発生する負荷の割合により、変速を無段階で自動調整できるため、複雑な電子制御等を必要としない、圧縮空気利用型無段変速機となる。
【発明を実施するための最良の形態】
【０００６】この発明の実施形態の一例を、図１に示す。
圧縮空気利用型変速機は、自転車の後輪とペダルの中間部両側に取付けるものである。車体の片側には、駆動力の入出力部と差動装置を、もう方側には、タンクとシリンダと吸排気装置を取付ける。
動力回収機装置は、リム側面でローラーを回転させ吸気装置を動かすものである。
過剰加速時のブレーキとしての機能もある。
ペダル側・車輪側は、共に既存のものを使用する。【０００７】「実施形態の効果」（図２参照）
この装置の仕組みは、ペダルの踏力を１００％とした場合
平坦地走行では、［差動歯車１］の作用により、力量配分比率を駆動側５０％、ポンプ圧縮側５０％に分け、ポンプ圧縮側では、［タンクＡ］、［タンクＢ］共に２５％の力で蓄積する。［タンクＡ］は、空気を［往復動機関Ａ］に送ることで力の２５％を還元し、駆動側５０％と合わせて７５％の踏力を推進力として使用する。
登り坂走行等では、［差動歯車１］の作用により、［タンクＡ］からの空気放出を止め、ポンプによる空気の蓄積動作に切り替る。［タンクＡ］がある一定の圧力まで達した時に、それまで蓄積されていた［タンクＢ］（１回転毎＋２５％）を［圧力調整器］により調整された圧力（仮に踏力の５０％）で［往復動機関Ｂ］に放出し［差動歯車２］を駆動させる。［差動歯車２］が駆動し始めることで［差動歯車１］も回転し始め［往復動機関Ａ］も駆動する。平坦地走行時の７５％に［タンクＢ］の圧力５０％が加わることでペダル踏力の１２５％の力を推進力とする。
また、制動時には［往復動機関Ａ・Ｂ］への圧縮空気を遮断（ブレーキ連動）し、推進力を抑制する。
つまり、踏力をあまり必要としない平坦地走行時の力を一時的に［タンクＢ］に蓄え、その力を登り坂等に使用することで、ペダル踏力の軽減をするものである。
【図面の簡単な説明】
【０００８】
【図１】この発明の実施形態の一例を示す図である。
【図２】この発明の駆動回路図の一例である。
【図３】この発明のエア回路図の一例である。
【図１】
2011099549.tif 000003
【図２】
2011099549.tif 000004
【図３】
2011099549.tif 000005
(57)【要約】【課題】空気調和機の待機電力を安価に低減する。【解決手段】室外機で受電する空気調和機において、室外機制御電源及び室内機制御電源を、商用電源又はファンモータ起電電圧による電源の何れかに切り替える手段を備え、前記空気調和機の待機中に外風によるファンモータ起電電圧が一定値を超えた場合、室外機制御電源及び前記室内機制御電源を商用電源から切り離し、ファンモータ起電電圧側に切り替える。ファンモータ起電電圧が一定値を超えたら切替器を作動させ商用電源から切り離すことにより、安価に空気調和機の待機電力を低減することができる。【選択図】  図１
2011099597.tif 000002
【特許請求の範囲】
【請求項１】
室外機で受電する空気調和機において、室外機制御電源及び室内機制御電源を、商用電源又はファンモータ起電電圧による電源の何れかに切り替える手段を備え、前記空気調和機の待機中に外風による前記ファンモータ起電電圧が一定値を超えた場合、前記室外機制御電源及び前記室内機制御電源を商用電源から切り離し、前記ファンモータ起電電圧側に切り替えることを特徴とする空気調和機。
【発明の詳細な説明】
【技術分野】
【０００１】
本発明は空気調和機の待機電力を低減する技術に関する。
【背景技術】
【０００２】
空気調和機の待機電力を低減する手段として、商用電源の代わりに太陽電池を電源とすることで商用電源からの電力消費を低減する方法が知られている（例えば、特許文献１参照）。商用電源以外の自然エネルギーから電力を得る他の手段としては風力が考えられる。空気調和機の室外機のファンに外風が当たることでファンモータが発電機となり、ファンモータ駆動回路に直流電圧が印加されることが知られている（例えば、特許文献２参照）。
【先行技術文献】
【特許文献】
【０００３】
【特許文献１】特開２０００−１６１７４７号公報
【特許文献２】特開２００１−２１５０４６号公報
【発明の概要】
【発明が解決しようとする課題】
【０００４】
空気調和機の待機電力を低減するために特許文献１のように太陽エネルギーを利用しようとした場合、太陽電池を別途追加する必要があるため、コストアップになる。また、他の自然エネルギーとして風力を利用しようとした場合、特許文献２のように、ファンモータ駆動回路に発生した直流電圧により回路が過電圧破壊するのを防ぐ技術の開発はなされているが、空気調和機の待機電力をまかなう電源としては利用されていない。
【０００５】
本発明は、外風によりファンモータ駆動回路に発生した電圧を有効に待機電力に利用することにより安価に待機電力を低減する空気調和機を提供するものである。
【課題を解決するための手段】
【０００６】
室外機で受電する空気調和機において、室外機制御電源及び室内機供給電源を、商用電源又はファンモータ起電電圧による電源の何れかに切り替える手段を備え、空気調和機の待機中に外風によるファンモータ起電電圧が一定値を超えた場合、室外機制御電源及び室内機制御電源を商用電源から切り離し、ファンモータ起電電圧側に切り替える。
【発明の効果】
【０００７】
ファンモータ起電電圧が一定値を超えたら切替器を作動させて商用電源から切り離すことにより、安価に空気調和機の待機電力を低減することができる。
【図面の簡単な説明】
【０００８】
【図１】本発明による室外受電する空気調和機の構成図。
【図２】従来の室外受電する空気調和機の構成図。
【発明を実施するための形態】
【０００９】
従来の室外機で受電する空気調和機の構成を図２に示す。商用電源１からダイオードスタック１３，平滑コンデンサ１４，室外機制御電源１５を経て各部に制御電圧が供給されると共に、室内機側もダイオードスタック１７，平滑コンデンサ１８，室内制御電源１９を備え、各部に電圧が供給される。
【００１０】
開閉器５は、運転時のみＯＮし、商用電源からの交流がダイオードスタック６，平滑コンデンサ７を経て直流に変換され、圧縮機駆動回路１１にて圧縮機１２を駆動すると共に、ファンモータ駆動回路８にてファンモータ９を駆動する。待機時はＯＦＦであり、通常は開閉器５以降に電圧は印加されない。
【００１１】
制御マイコン１６は、平滑コンデンサ７両端電圧を取り込む手段を備える。
【００１２】
待機時に外風によりプロペラファン１０が回転すると、ファンモータ９が発電機となり、ファンモータ駆動回路に内蔵のダイオードにより整流され、平滑コンデンサ７に直流電圧が印加されエネルギーが蓄積される。しかしながら、従来はこのエネルギーは利用されず回路内で消費されていた。
【００１３】
本発明に係る空気調和機の構成を図１に示す。従来の空気調和機（図２）に対し、商用電源１から室外機制御電源および室内機制御電源へ給電される経路に切替器４を設け、室外機制御電源および室内機制御電源へ平滑コンデンサ７の蓄積エネルギーを給電できるようにした。室外機制御電源および室内機制御電源は、ダイオードスタック１３，１７および平滑コンデンサ１４，１８により直流電圧に変換しているため、切替器以降が商用電源１からの交流でも、平滑コンデンサ７からの直流でも動作可能である。
【００１４】
空気調和機の待機時、制御マイコン１６は平滑コンデンサ７の両端電圧を監視する。外風により平滑コンデンサへのエネルギー蓄積による電圧上昇が一定値を超えると、切替器４を作動させ平滑コンデンサ７からの給電に切り替える。平滑コンデンサ７の両端電圧が下がって一定値を下回ると、切替器を商用電源１からの給電に戻す。
【００１５】
以上、本発明によれば、室外機で受電する空気調和機において、室外機制御電源及び室内機制御電源を、商用電源又はファンモータ起電電圧による電源の何れかに切り替える手段を備え、空気調和機の待機中に外風によるファンモータ起電電圧が一定値を超えた場合、室外機制御電源及び室内機制御電源を商用電源から切り離し、ファンモータ起電電圧側に切り替える。ファンモータ起電電圧が一定値を超えたら切替器を作動させ商用電源から切り離すことにより、安価に空気調和機の待機電力を低減することができる。
【符号の説明】
【００１６】
１  商用電源
２  空気調和機の室外機
３  空気調和機の室内機
４  切替器
５  開閉器
６，１３，１７  ダイオードブリッジ
７，１４，１８  平滑コンデンサ
８  ファンモータ駆動回路
９  ファンモータ
１０  プロペラファン
１１  圧縮機駆動回路
１２  圧縮機
１５  室外機制御電源
１６  制御マイコン
１９  室内機制御電源
【図１】
2011099597.tif 000003
【図２】
2011099597.tif 000004
(57)【要約】【課題】表面（意匠面）に蒸着処理（例えば金属調や木目柄など）を施した押出成形品が室内ユニットの前面パネルに取り付けられる空気調和機であって、特に、安価で容易に前面パネルへの取り外しが可能な押出成形品の固定構造を備えた空気調和機を提供することを課題とする。【解決手段】前面パネルを有する室内機を備えた空気調和機において、前面パネルは複数個の爪を備え、この爪を介して、前面パネルの装飾を目的とした押出成形品を前面パネルに固定可能とした。本発明によれば、蒸着処理（例えば金属調や木目柄など）された押出成形品の意匠面が前面パネル正面に見えるように、爪構造により、押出成形品を前面パネルに取り付けることが可能となり、切れ目の無い表面仕上げの一体押出成形品を前面パネルに装飾することができ、金型代も安価となる。【選択図】  図２
2011099596.tif 000002
【特許請求の範囲】
【請求項１】
前面パネルを有する室内機を備えた空気調和機において、
前記前面パネルは複数個の爪を備え、
前記爪を介して、前記前面パネルの装飾を目的とした押出成形品を前記前面パネルに固定可能としたことを特徴とする空気調和機。
【請求項２】
請求項１において、前記押出成形品は工具を使用しないで前記前面パネルに固定可能であることを特徴とする空気調和機。
【請求項３】
請求項１において、前記押出成形品は軟質材により形成されることを特徴とする空気調和機。
【発明の詳細な説明】
【技術分野】
【０００１】
本発明は空気調和機に係り、特に前面パネルの装飾を目的とした押出成形品の固定構造に関する。
【背景技術】
【０００２】
現在、家庭用の空気調和機は、意匠性への配慮が求められ、インテリアとしても外観の向上が要求されている。従来の空気調和機の室内ユニットは、メッキ加工等の処理がされた射出成形品を前面パネル周囲に配置することにより、意匠性を向上させている。この射出成形品は一般的に巾が小さく強度的に弱い構造体であり、また、その取り付けは室内ユニットのほぼ全周にわたる場合もある。従って、射出成形品の割れに対する取り扱いの作業性への注意や、ゲートカット部に対する注意が必要である。
【発明の概要】
【発明が解決しようとする課題】
【０００３】
本発明の課題は、表面（意匠面）に蒸着処理（例えば金属調や木目柄など）を施した押出成形品が室内ユニットの前面パネルに取り付けられる空気調和機であって、特に、安価で容易に前面パネルへの取り外しが可能な押出成形品の固定構造を備えた空気調和機を提供することにある。
【課題を解決するための手段】
【０００４】
前面パネルを有する室内機を備えた空気調和機において、前面パネルは複数個の爪を備え、この爪を介して、前面パネルの装飾を目的とした押出成形品を前面パネルに固定可能とした。
【発明の効果】
【０００５】
本発明によれば、蒸着処理（例えば金属調や木目柄など）された押出成形品の意匠面が前面パネル正面に見えるように、爪構造により、押出成形品を前面パネルに取り付けることが可能となり、切れ目の無い表面仕上げの一体押出成形品を前面パネルに装飾することができ、金型代も安価となる。
【図面の簡単な説明】
【０００６】
【図１】室内ユニットの断面図。
【図２】押出成形品取り付け部を示す図。
【発明を実施するための形態】
【０００７】
以下、本発明の実施例について図１，図２を用いて説明する。図１は室内ユニットの断面図である。室内ユニットは、筐体ベース２１に取り付けられた室内送風ファン３１１、フィルター２３１，２３１′、室内熱交換器３３、露受皿３５、上下風向板２９１，２９２、左右風向板２９５等の基本的な内部構造体を備える。これら筐体ベース２１に取り付けられた内部構造体は、さらに化粧枠２３及び前面パネル２５で覆われ、室内ユニットを構成する。
【０００８】
図２は押出成形品の取り付け部を示す図である。図２（ａ）は前面パネル２５と押出成形品との取り付け位置の関係を示しており、前面パネル２５の正面に、押出成形品表面（意匠面）の蒸着処理（例えば金属調や木目柄など）が見えるように構成される。図２（ｂ）は、押出成形品２６を前面パネル２５へ取り付けるための前面パネル２５に設けられた爪２７，２８を示す。爪２７，２８の向きを交互に変えることにより、押出成形品２６を前面パネル２５に取り付ける際に、押出成形品が片方に倒れ込まずに安定して取り付けることができる。図２（ｃ）は、図２（ｂ）に示す爪２７，２８を介して前面パネル２５に押出成形品２６が取り付けられた状態を示す。
【０００９】
本実施例では、前面パネルを有する室内機を備えた空気調和機において、前面パネルが複数個の爪を備え、この爪を介して、前面パネルの装飾を目的とした押出成形品を前面パネルに固定可能とした。これにより、蒸着処理等された押出成形品の意匠面が前面パネル正面に見えるように、爪構造により、押出成形品を前面パネルに取り付けることが可能となり、切れ目の無い表面仕上げの一体押出成形品を前面パネルに装飾することができ、金型代も安価となる。
【００１０】
また、この押出成形品は工具を使用しないで前面パネルに固定可能とする。従って、製造現場での取り付け性が向上する。さらに、押出成形品で前面パネル本体に沿った形状に変形可能であるとともに、製造現場以外で前面パネルから外れた場合でも押出成形品を前面パネルに取り付け可能となる。
【００１１】
さらに、この押出成形品は軟質材により形成される。押出成形品が軟質材により形成されることにより、押出成形品を前面パネルに取り付ける際の柔軟性が向上し、さらに、前面パネルからの取り外しも容易となる。例えば、押出成形品を塩化ビニル等で構成する場合は、リサイクル時に分別する必要がある。しかしながら、爪の掛かりにより押出成形品が前面パネルへ固定されているので、軟質材で形成された押出成形品を引っ張ることにより、容易に爪の掛かり部を前面パネルから外すことができる。従って、リサイクル時の分離作業も容易となる。
【符号の説明】
【００１２】
２１  筐体ベース
２３  化粧枠
２５  前面パネル
２６  押出成形品
２７，２８  爪
３３  室内熱交換器
３５  露受皿
２３，２３０′  空気吸込み部
２３１，２３１′  フィルター
２９０  吹出し風路
２９１  上側上下風向板
２９２  下側上下風向板
２９５  左右風向板
３１１  送風ファン
【図１】
2011099596.tif 000003
【図２】
2011099596.tif 000004
(57)【要約】【課題】今まで消しゴムで消せるインクはなかった。線が消えるコピーが登場してほしかった。１枚しかないイラストの下描きの「原画」に、ペン入れすることは、プロ、アマチュア問わず、描きてにとって今まで心の負担だった。【解決手段】コピーが出てほしかったけど、今回インクを発明したので、エンピツインク、色エンピツインクをコピー機、プリンター機に使えればといいと思った。エンピツインクのインクカートリッジがコピー機、プリンター機内に設置場所があればいいと思う。【特許請求の範囲】
【請求項１】
本発明は消しゴムで消せる黒インク、カラーインクの発明です。
エンピツインクとインクカートリッジの特許です。
コピー機、プリンター機、印刷機に使われます。
黒インクの材料は、「エンピツの芯の粉」と「水」です。
カラーインクの材料は、「色エンピツの芯の粉」と「水」です。
【請求項２】
このインクでコピーした線は、消せるインクです。これでコピーしたあと線を消しゴムで消すことができます。消えるインクなので、（仮）エンピツインクとよびます。
【請求項３】
この特許は、新商品のインクの特許です。
プロの漫画家、イラストレーターが原稿にイラストを描いたときに、下描きの原画のペン入れに失敗するのではないか・・・とペン入れをためらう時があります。その時にこの、親商品のエンピツインクで原画をコピーしておき、その後そのコピーした絵（紙）にペン入れ（ペンでなぞる）ことをします。そのあと、消しゴムでエンピツインクの線を消します。エンピツインクの部分は消えます。その後の状態はペン入れした後の線だけが残ります。プロの漫画家やイラストレーター、図面を書く設計士がよく使うと思います。
【請求項４】
本発明は、エンピツインクだけで、コピー機を開発していません。このインクを扱う機種は、コピー機、プリンター機、印刷機等です。そのインクとして使います。
【発明の詳細な説明】
【技術分野】
【０００１】本発明は、消しゴムで消せるインク、「エンピツインク」です。（黒エンピツインク、色エンピツインク、カラーエンピツインク）
【背景技術】
【０００２】エンピツインクの開発は、思いつくまで１２年かかった。それまでインク自体がなかった。エンピツインクを機械に使った場合、インクの濃度は機械によって調節する。
【発明が解決しようとする課題】
【０００３】今までは、下描きの原画にペン入れをする時、ためらわれる時は、絵のトレースという手描きだった。そのあとトレースした絵にペン入れをして手間がかかった。エンピツインクのコピー後の状態はトレース原稿と同じ状態である。
【課題を解決するための手段】
【０００４】今までの普通コピーインクを見ていると、このコピーインク線が消えてくれれば手間がはぶけるのに（トレースの手間）と思うことが多かった。なので、このエンピツインクはその不便さを解決できる。
【発明の効果】
【０００５】漫画家、イラストレーター、設計士等描く事にたずさわる人たちにとって、良いコピーだと思う。なぜなら、描き手は原画にペン入れしないで済むし、原画を大切にとっておきたい、の気持ちがある。
将来、エンピツインクで印刷した本にした場合、イラストの書き込み手帳本が出ると思う。これは、イラストのお手本の本で、プロが描いたイラストをエンピツインクで印刷し、本にする。アマチュアは、この本のイラストをなぞったりペンでなぞったりして、絵の描き方の参考書になる。プロが描いた「お手本本、お手本ノート」になるので、新しい本として発売されると思う。「カラーエンピツインク本」も同様。
【発明を実施するための最良の形態】
【０００６】このエンピツインクを普及させるためには、業務用、家庭用のコピー機、プリンター機に導入して使うことができるように、エンピツインクのインクカートリッジをセットする場所を機械内にほしい。エンピツインクのコピーの濃度はコピー機、プリンター機のインク調節濃度のボタンで調節する。コピーする。色エンピツインクの色は色々あるけど、主に水色、黄色を中心に開発して使う。なぜ水色、黄色というのは、水色、黄色はコピー後「イラストにペン入れ」をした後、色エンピツインクのコピーの部分を消しゴムで消さない原稿にしても、本の印刷で水色、黄色は印刷に写らないから。
欠点は、エンピツインクでコピーした場合、エンピツインクが乾くまで待ったり乾かさなければならないと思う。そこは仕方がない。
【実施例】
【０００７】業務用、家庭用のコピー機、プリンター機にエンピツインクと色エンピツインクのインクカートリッジを機械にセットする場所をさずけて設置する。
【産業上の利用可能性】
【０００８】今まで、生原稿は、唯一一つしかなく、それに、ペン入れするのには大変気力を使った。この発明のエンピツインクは、唯一の原稿の複製を作ることができる。このことで唯一の生原稿には手をかけず、コピーした方にペン入れして、手を加えることができる。イラストを描くことが楽になり、今まで無理だった力作の自分のイラストをコピーし、気軽にペン入れできるようになる。描き手側にとって、なくてはならないものになると思う。
同じ絵でも、ペン入れに失敗したら、また別のエンピツインクのコピーをして、それにペン入れをすればいいので、何回でもコピーにやり直しができる。
【図面の簡単な説明】
【０００９】
【図１】エンピツインクでコピー、印刷した状態。
【図２】エンピツインクは、消しゴムで消せる。
【図１】
2011099082.tif 000002
【図２】
2011099082.tif 000003
(57)【要約】      （修正有）【課題】引違いサッシアミ戸を、左位置に、定置した時サッシの、半開きでも、虫の浸入を防ぐアミ戸を提供する。【解決手段】アミ戸の右のタテ枠を広くして、タテにガラスに装着するように、長い毛のジャバラをもうひとつ設ける。以上の構成から左引違いサッシの開放にも、アミ戸とガラス面の隙間を通る虫の浸入を防ぐアミ戸となる。【選択図】図４
2011099309.tif 000002
【特許請求の範囲】
【請求項１】
引違いサツシのアミ戸の虫よけの長い毛のジヤバラをもう１ヶ処取付けて、アミ戸の左定置でも、虫の浸入を、防ぐアミ戸である。
【発明の詳細な説明】
【技術分野】
【０００１】この発明は、引違いサツシ左側の、半開きでも、アミ戸の、隙間を通って、虫の浸入するのを、防ぐ、長い毛のジヤバラを、取りつけた、虫の浸入を防ぐアミ戸である。（以下文中の、右左は、内視である）
【背景技術】
【０００２】従来、アミ戸が左定置で、引違いサツシの、半開き時に、アミ戸が右定置で、サッシ右の、半開きと同様に、虫が浸入しない効力が、あると、扱かつてきた。
【発明の開示】
【発明が解決しようとする課題】
【０００３】  そのために、次のような、門題点が生じていた。
（イ）引違いサツシの、障子の、左側開閉の、半開きに於いて現在のアミ戸のジヤバラの長サでは、枠面部では効力あるがガラス面では、短かすぎて、虫の浸入があり、特に雨あがりの、半開きには、虫が隙間を通って、我先と、浸入出来た。
本発明は、以上の門題を、解決したものである。
【課題を解決するための手段】
【０００４】アミ戸の右のタテ枠を、広くして、タテに、ガラスに装着するように、長い毛のジャバラを、もうひとつ設ける。
以上の構成から、左引違いサッシの、開放にも、アミ戸とガラス面の、隙間を、通る虫の浸入を、防ぐアミ戸である。
以上の構成からなる、アミ戸の虫の侵入を防ぐ、アミ戸である。
【発明の効果】
【０００５】したがつて引違いサッシ左の、障子使用で、左定置の、サッシの半開き時にも長い毛のジャバラが、サッシ枠と、段差のあるガラス面に装着して、虫の侵入がなくなつた。
【発明を実施するための最良の形態】
【０００６】  以下、本発明の、実施の、形態について、説明する。
（イ）アミ戸の右タテ枠の、巾を、広くして、その部分にタテに長い毛のジャバラを、もうひとつ設ける。
（ロ）巾を広くした分だけ、サッシ左のストッパーを、右に、設ける。
本発明は、以上の構成からなる、アミ戸の虫の浸入を、完全防止する、アミ戸である。
以下使用方法について、説明する。
通常引違いサツシは、右側開閉が多く、アミ戸は、右側に、定置して、サッシの、開閉をするので、アミ戸は、用件を満たしている。
引違いサッシを、左で開閉する場所では、サッシの開閉を半開きと、した場合、枠面では、効力はあるが、現在の短いジャバラは、ガラス面にきたとき、大きく隙間を、生じ、虫が、スムーズに浸入する。この長い毛を設置したアミ戸はガラス面ではガラスまで装着するので、虫の浸入を完全に防止する。
長い毛のジャバラの寸法の分だけ、サッシのストッパーを、設ける。
【図面の簡単な説明】
【０００７】
【図１】通常のアミ戸右定置の引違いサツシである。
【図２】上の説明で、サッシＢを、開放しても、サッシＡと、アミ戸の隙間は、なく、虫の浸入を、防いでいる。
【図３】アミ戸を、左側に、定置して、サッシＡを半開きにした、場合点線のように、虫は、スムーズに、浸入する。
【図４】アミ戸の枠を、Ｐ程大きくして、Ｐ＋ｗ＝Ｗとして長い毛のジャバラを、取りつける。（アミ戸左定置）
【図５】引違いサッＡを右方へ半開きにしても長い毛のジャバラが段差のあるガラス面に装着して、隙間をつくらない。よって虫の浸入を完全に、防止できる。○サッシ障子の開きが、少しせまくなるので、その分だけストッパーを、設ける。
【符号の説明】０００８
Ａは、引違いサッシ左の障子
Ｂは、引違いサッシ右の障子
１は、アミ戸の長い毛のジャバラ、
２は、アミ戸の通常のジャバラ
Ｐは増巾部
2011099309.tif 000003
【図１】
2011099309.tif 000004
【図２】
2011099309.tif 000005
【図３】
2011099309.tif 000006
【図４】
2011099309.tif 000007
【図５】
2011099309.tif 000008
(57)【要約】【課題】  従来の天井組み立て材は、野縁受け部材と吊りボルト接続用フックの高さが長く天井内のダクト、配管などの施工が困難の場合がある。又、ダクトや配管が天井内に収まらない場合は室高を低くしなければならない。【解決手段】  挟み込み型ボルト吊り金具に角パイプを挟み込み、野縁保持具を使って角パイプと野縁部材を接続し、吊りボルト用穴に吊りボルトを通しコンクリート天井スラブのインサート等にねじ込み、コンクリート天井スラブとのレベルを調整しナットを上下にねじ込む。【選択図】図３
2011099305.tif 000002
【特許請求の範囲】
【請求項１】
角パイプ挟み込み型天井組み方法で、床と天井の室高を同じにした場合、上部コンクリートスラブの下場と天井ボード下場との寸法が長くなり、天井内の空間を大きくする事が出来る方法。
【発明の詳細な説明】
【技術分野】
【０００１】  本発明は天井組み立て材の高さに関する。
【背景技術】
【０００２】  従来の天井組み立て材は、野縁受け部材と吊りボルト接続用フックの高さが長く天井内のダクト、配管などの施工が困難の場合がある。又、ダクトや配管が天井内に収まらない場合は室高を低くしなければならない。【０００３】  図１の従来の天井組み立て方法について説明する。図において、２野縁受け部材に４フックを取り付け、５コンクリート天井スラブと４フックを６吊りボルトを使用し、７ナットで上下から固定する。【０００４】  図２の本発明の挟み込み型ボルト吊り金具について説明する。図において、８は本体であり、９吊りボルト用穴を有している。
【発明の概要】
【発明が解決しようとする課題】
【０００５】  以上に述べた２野縁受け部材は高さ部分の長さが長く、２野縁受け部材を吊る為の４フックのボルト差し込み部分までの距離が長い為、マンションなどの天井において、天井内の５コンクリート天井スラブとの空間が少ない為、配管やダクトの施工が困難な問題点があった。【０００６】  本発明は上記課題を解決するものであり、従来の２野縁受け部材の代わりに、高さの低い１１角パイプを使用し、従来型４フックの代わりに１１角パイプを挟み込む８挟み込み型ボルト吊り金具を使用し、１野縁部材と１１角パイプの接続には従来の３クリップの代わりに、１０野縁保持具を使用する事により、５コンクリート天井スラブと１２天井ボードとの空間を高くする事が出来る。
【課題を解決するための手段】
【０００７】  そして、本発明は上記目的を達成する為に、８挟み込み型ボルト吊り金具に１１角パイプを挟み込み、１０野縁保持具を使って１１角パイプと１野縁部材を接続し、９吊りボルト用穴に６吊りボルト通し５コンクリート天井スラブのインサート等にねじ込み、５コンクリート天井スラブとのレベルを調整し７ナットを上下にねじ込む。【０００８】  上記第１の課題解決手段による作用は次の通りである。すなわち床と１２天井ボードまでの下場の高さが同じ場合、１２天井ボードと５コンクリート天井スラブの下場の空間が大きく取れる。
【発明の効果】
【０００９】  上述した様に、本発明の角パイプ挟み込み型天井組み方式を使用すると、床と天井の室高を同じにした場合、上部コンクリートスラブの下場と天井ボード下場との寸法が長くなり、天井内の空間を大きくする事が出来、ダクトや配管の設備等の施工が容易に出来る。
【図面の簡単な説明】
【００１０】
【図１】  従来の天井組み立て方法を表す図
【図２】  本発明の挟み込み型ボルト吊り金具の外観図
【図３】  本発明の実施形態を示す図
【発明を実施するための形態】
【００１１】  以下、本発明の実施の形態を図３に基づいて説明する。
【００１２】  図においては８挟み込み型ボルト吊り金具に１１角パイプを挟み込み、１０野縁保持具を使って１１角パイプと１野縁部材を接続し、９吊りボルト用穴に６吊りボルト通し５コンクリート天井スラブのインサート等にねじ込み、５コンクリート天井スラブとのレベルを調整し７ナットを上下にねじ込む。
【００１３】  以下、角パイプ挟み込み型天井組み方法の取り付けの順序を説明する。８挟み込み型ボルト吊り金具に１１角パイプを挟み込み、１０野縁保持具を使って１１角パイプと１野縁部材を接続し、９吊りボルト用穴に６吊りボルト通し５コンクリート天井スラブのインサート等にねじ込み、５コンクリート天井スラブとのレベルを調整し７ナットを上下にねじ込む。
【符号の説明】
【００１４】  １  野縁部材
２  野縁受け部材
３  クリップ
４  フック
５  コンクリート天井スラブ
６  吊りボルト
７  ナット
８  挟み込み型ボルト吊り金具
９  吊りボルト用穴
１０  野縁保持具
１１  角パイプ
１２  天井ボード
【図１】
2011099305.tif 000003
【図２】
2011099305.tif 000004
【図３】
2011099305.tif 000005
(57)【要約】【課題】アース線の電気部品箱への直接のねじ止めを無くすことにより、電気部品箱を薄肉化してコスト低減を可能にすると共に、電気部品箱を薄肉化してもアース構造の安全性を確保することができる空気調和機を提供する。【解決手段】本発明に係る空気調和機は、空気調和機の制御を行う電気部品を搭載すると共に、二次災害を防止するための電気部品箱に取付けられるアース用端子取付部品を備え、このアース用端子取付部品は、アース用端子取付部品と熱交換器を導通させるためのアース線の芯線及び被覆、又は芯線を固定するためのカシメ部を備える。【選択図】  図１
2011099618.tif 000002
【特許請求の範囲】
【請求項１】
空気調和機の制御を行う電気部品を搭載すると共に、二次災害を防止するための電気部品箱に取付けられるアース用端子取付部品を備えた空気調和機であって、
前記アース用端子取付部品は、前記アース用端子取付部品と熱交換器を導通させるためのアース線の芯線及び被覆、又は芯線を固定するためのカシメ部を備えたことを特徴とする空気調和機。
【発明の詳細な説明】
【技術分野】
【０００１】
本発明は空気調和機のアース構造に関する。
【背景技術】
【０００２】
図２は従来の空気調和機のアース構造を成すアース構成部品の分解斜視図である。図２において、アース用端子取付部品１は金属製の四角い板形状である。アース用端子取付面１ａには、アース用端子取付用のねじ穴１ｂ，アース用端子を意味するアースマーク１ｃ、及び、丸穴１ｄが設けられている。丸穴１ｄは、空気調和機の制御を行う電気部品を搭載するとともに発煙・発火等による二次災害を防止するための電気部品箱２と、アース用端子取付部品１とを、ねじで固定するため穴である。電気部品箱２には、アース用端子取付部品１とねじで固定するためのねじ穴２ａ、及び、アース線３の一端に取付けられたターミナル４ａをねじで固定するためのねじ穴２ｂが設けられている。また、熱交換器５のフィン（図示せず）とパイプ６を固定するための金属製のプレート７には、アース線３のもう一端に取付けられたターミナル４ｂをねじで固定するためのねじ穴７ａが設けられている。
【０００３】
図３は従来の空気調和機のアース構造を成すアース構成部品の正面図である。図３においてアース用端子取付部品１と電気部品箱２をねじ８ａで固定し、電気部品箱２とアース線３の一端に取付けてあるターミナル４ａをねじ８ｂで固定し、熱交換器５のフィン（図示せず）とパイプ６を固定するための金属製のプレート７とアース線３のもう一端に取付けてあるターミナル４ｂをねじ８ｃで固定することにより、漏電時の災害防止及び感電防止を図るためのアース構造を構成している。
【０００４】
このように、従来のアース構造はアース用端子取付部品と電気部品箱をねじで固定し、また、電気部品箱とアース線の一端に取付けてあるターミナルをねじで固定し、更にアース線のもう一端に取付けてあるターミナルと熱交換器のフィンとパイプを固定するためのプレートをねじで固定することにより、漏電時の災害防止及び感電防止を図るためのアース構造を構成している。
【０００５】
しかし、電気部品箱を薄肉化しコスト低減を図ろうとした場合、電気部品箱の薄肉化により、ねじ穴の破壊トルクの低下により強度不足となる可能性がある。
【発明の概要】
【発明が解決しようとする課題】
【０００６】
本発明は上記課題を解決するものであり、アース線の電気部品箱への直接のねじ止めを無くすことにより、電気部品箱を薄肉化してコスト低減を可能にすると共に、電気部品箱を薄肉化してもアース構造の安全性を確保することができる空気調和機を提供することにある。また、さらに、アース構造の簡素化による部品点数の削減、及び、部品点数の削減による工数低減に寄与するアース構造を備えた空気調和機を提供することにある。
【課題を解決するための手段】
【０００７】
上記課題を解決するために本発明に係る空気調和機は、アース用端子取付部品にアース線の芯線及び被覆、又は芯線を固定するためのカシメ部を設け、アース線の芯線及び被覆、又は芯線をカシメ部にカシメる構造とする。
【発明の効果】
【０００８】
本発明によれば、アース線を電気部品箱に直接ねじ固定しないアース構造とすることができる。従って、電気部品箱を薄肉化することが可能となりコスト低減が図れると共に、電気部品箱を薄肉化してもアース構造の安全性を確保することができる。また、アース構造の簡素化による部品点数の削減、及び、部品点数の削減による工数低減も図ることができる。
【図面の簡単な説明】
【０００９】
【図１】本実施例のアース構成部品を示す図であり、（ａ）はアース構成部品の正面図、（ｂ），（ｃ）はアース用端子取付部品の斜視図。
【図２】従来のアース構成部品の分解斜視図。
【図３】従来のアース構成部品の正面図。
【発明を実施するための形態】
【００１０】
以下、本発明に係る実施例を図１に基づき説明する。図１（ｂ）（ｃ）は本実施例のアース用端子取付部品の斜視図である。アース用端子取付部品１は金属製である。図１（ｂ）に示すように、アース用端子取付面１ａには、アース用端子取付用のねじ穴１ｂ、アース用端子を意味するアースマーク１ｃ、及び、丸穴１ｄが設けられている。丸穴１ｄは、空気調和機の制御を行う電気部品を搭載するとともに発煙・発火等による二次災害を防止するための電気部品箱（電気部品箱本体，電気部品ふた，電気部品カバー等の総称で、例えば、金属又は樹脂製のもの）と、アース用端子取付部品１とを、ねじで固定するための穴である。アース用端子取付面１ａの一端には、アース線３の一端の芯線３ａ及び被覆３ｂがカシメられるように、櫛形のカシメ部１ｅが設けられている。
【００１１】
尚、他のカシメ形状として、図１（ｃ）に示すように、アース用端子取付面１ａの一端に、アース線３の一端の芯線３ａがカシメられるように筒状のカシメ部１ｅを設けてもよい。
【００１２】
図１（ｂ）（ｃ）で示したアース用端子取付部品１のカシメ部１ｅに、アース線３の一端の芯線３ａ及び被覆３ｂ（図１（ｂ））、又は芯線３ａ（図１（ｃ））をカシメ、もう一端にターミナル４ｂを取付ける。
【００１３】
図１（ａ）は本実施例の空気調和機のアース構造を成すアース構成部品の正面図である。アース構造を構成するため、図１（ａ）に示すようなアース用端子取付部品１，アース線３、及びターミナル４ｂから構成される部品を用いて、アース線３の一端に取付けられたアース用端子取付部品１と電気部品箱２をねじ８ａで固定する。また、アース線３のもう一端に取付けられたターミナル４ｂを、熱交換器５のフィン（図示せず）とパイプ６を固定するための金属製のプレート７と、ねじ８ｃで固定する。これにより、アース線を電気部品箱に直接ねじ固定せず、漏電時の災害防止及び感電防止を図るためのアース構造を構成することができる。
【符号の説明】
【００１４】
１  アース用端子取付部品
１ａ  アース用端子取付面
１ｂ，２ａ，２ｂ，７ａ  ねじ穴
１ｃ  アースマーク
１ｄ  丸穴
１ｅ  カシメ部
２  電気部品箱
３  アース線
３ａ  芯線
３ｂ  被覆
４ａ，４ｂ  ターミナル
５  熱交換器
６  パイプ
７  プレート
８ａ，８ｂ，８ｃ  ねじ
【図１】
2011099618.tif 000003
【図２】
2011099618.tif 000004
【図３】
2011099618.tif 000005
(57)【要約】【課題】音声でテレビのオンオフチャンネルを変える音声確認装置を提供する【解決手段】テレビに音声確認装置を付けオンオフやチャンネルを変える音声確認装置【選択図】図１
2011199820.tif 000002
【特許請求の範囲】
【請求項１】
テレビに音声対応装置を設け音声でオンオフやチャンネルを変えることが出来る音声対応装置
【発明の詳細な説明】
【技術分野】
【０００１】本発明は、音声によりテレビのオンオフとチャンネルを切り替えが出来る音声対応テレビ
【背景技術】
【０００２】従来、テレビのオンオフなどはリモコンなどしか出来なかった
【発明の開示】
【発明が解決しようとする課題】
【０００３】そのために次のような問題点があった
（イ）テレビのオンオフなどはリモコンなどしか出来なかった
【課題を解決するための手段】
【０００４】テレビに音声対応装置をつけオンオフやチャンネルを変更する
【発明の効果】
【０００５】テレビのリモコンを使わずに音声だけでオンオフやチャンネルを変えることが出来る
【発明を実施するための最良の形態】
【０００６】以下、本発明の実施の形態を説明する
（イ）テレビ（１）
（ロ）に音声対応装置（２）を取り付ける
本発明をしようするときには上記の音声確認装置に向かいオンオフなどを発声してテレビをつけたり消したをする
【図面の簡単な説明】
【０００７】
【図１】本発明の斜視図
【符号の説明】
【０００８】１  テレビ
２  音声確認装置
【図１】
2011199820.tif 000003
(57)【要約】【課題】従来の立体映像システムでは、一般の家庭環境において視聴者が使用する映像表示装置の大きさが特定できないために、大きめの表示装置に合わせて映像を計算して表示しなければならないという問題があった。小さめの映像表示装置に合わせて映像を計算してしまうと、大きい映像表示装置で表示したときに視聴者に不快感や疲労感を与えてしまうからである。【解決手段】映像表示部分の大きさを電気的または機械的手段により立体映像計算装置に通知し、記憶したうえで、その大きさをパラメータの一つとして立体映像を計算するシステムとした。これにより、立体映像表示装置の大きさの大小にかかわらず、視聴者が自然に知覚できる立体映像を提供することができる。【選択図】図１
2011199818.tif 000002
【特許請求の範囲】
【請求項１】
電気的または機械的手段により通知された、立体映像表示装置の映像表示部分全体の大きさ情報又は表示画素１つ当たりの大きさ穂情報を記憶することで、画面の横幅に対する左右眼球の間隔距離の比率を推定し、この比率に合わせて立体映像における被写体像の表示位置及び表示形状の計算を行う方法を用いた立体映像システム。
【発明の詳細な説明】
【技術分野】
【０００１】  本発明は、コンピュータグラフィクスなどの手法により立体映像を計算及び表示する方法に関する。
【背景技術】
【０００２】  従来の立体映像表示装置では、あらかじめ定められた人間の眼球の間隔に合わせて立体映像を計算して、伝送および表示していた（例えば、特許文献１参照。）【０００３】  以下、図２により従来の立体映像表示装置を説明する。図において７は映像表示装置で、偏光、時分割、周波数分割または色分割の方法により、視聴者８の左右の目に別々の映像９および１０を認識させる。
【先行技術文献】
【特許文献】
【０００４】  特許公開２００９−０１７２０７
【発明の概要】
【発明が解決しようとする課題】
【０００５】  以上に述べた従来の方法では、上記のような立体映像表示装置において、立体映像を自然に知覚させるために、左右の眼球の間隔と左右用それぞれの画像中心位置の間隔との関係を考慮する必要がある。しかし、たとえば家庭用ゲーム機等においては、一般的に映像表示装置の大きさに対する比率として映像が計算されて表示されるため、大きなディスプレイほど左右用の画像中心位置の間隔が広がってしまう問題があった。【０００６】  個人差の少ない眼球間隔に比較して、一般の家庭環境などにおける立体映像表示装置は各々大きさが何倍にも異なることが想定されるため、実際にはかなり大きな立体映像表示装置に合わせて立体映像を計算し、表示する必要があった。【０００７】  かなり大きな立体映像表示装置に合わせて立体映像を計算し、表示する理由を図３で説明する。小さな立体映像表示装置１１に合わせて計算された立体映像１２を大きな立体映像表示装置１３で表示した場合、通常視聴者から見て閉じた角度になる左右の視差１４が左右の視差１５のように広がる角度になってしまい、視聴者１６に極度の不快感及び疲労感を与えてしまう。そのため、どのような大きさの表示装置であっても少なくとも視差が閉じた角度になるようにするために、大きな立体映像表示装置に合わせて立体映像を計算し、表示しなければならない。【０００８】  一方で、大きな立体映像表示装置に合わせて立体映像を計算及び表示すると、小さな立体映像表示装置においては、立体映像として知覚できる被写体の大きさが極めて小さくなってしまい、視聴者に大きな違和感を与えてしまう問題があった。【０００９】  本発明は、このような従来の方法が有していた問題を解決しようとするものであり、立体映像表示装置の大きさの大小に関わらず最適な立体映像を計算及び表示する、立体映像計算装置及び立体映像表示装置の実現を図る。
【課題を解決するための手段】
【００１０】  本発明は上記目的を達成するために、立体映像計算装置に対して、立体映像表示装置の映像表示部分（以下映像表示部分）の大きさを電気的又は機械的手段により通知する手段を設けたものであり、映像表示部分の大きさに合わせて立体映像を計算するものである。【００１１】  上記の課題解決手段による作用は、視聴者ごとに異なる立体映像表示装置の大きさを立体映像計算時のパラメータとして参照して、最適な無限遠被写体像の表示位置及び無限遠よりも近くに位置する被写体像の表示位置を決定することで、立体映像表示装置の大きさの大小に関わらず、視聴者に対して最も違和感の少ない映像を提供する効果を発揮する。
【発明の効果】
【００１２】  上述したように、本発明の立体映像計算方法は、立体映像表示装置の大きさの大小に関わらず、最適な立体映像を提供できる。また、立体映像計算装置に入力機能を設けることで、立体映像表示装置に大きさを通知する機能を付与することが困難な場合でも、本発明を容易に実施できる。
【図面の簡単な説明】
【００１３】
【図１】  立体映像システムの構成図
【図２】  従来の立体映像表示装置の説明図
【図３】  従来の方法により大きな立体映像表示装置で映像を表示した場合の説明図
【発明を実施するための最良の形態】
【００１４】  以下、本発明の実施の形態を図１に基づいて説明する。【００１５】  図において、１は立体映像表示装置で、立体映像を表示する特別な機能を持ったディスプレイ、または従来から存在する平面画像を表示する一般的なディスプレイである。２は立体映像計算装置で、立体映像を計算し、立体映像表示装置へ電気的手段３によって立体映像を伝送する。また、立体映像表示装置から電気的手段４によって、映像表示部分の大きさ情報を伝送する。【００１６】  ５は電気的または機械的手段によって実現された入力機能であり、立体映像計算装置に対して、視聴者６が利用している立体映像表示装置１の映像表示部分の大きさを通知することができる。【００１７】  以下、上記構成の動作を説明する。まず立体映像計算装置は入力機能５によって通知された映像表示部分の大きさ、又は電気的手段４によって通知された映像表示部分の大きさを記憶する。【００１８】  次に、立体映像計算装置２は、記憶された映像表示部分の大きさに合わせて最適な立体映像を計算する。【００１９】  最後に、立体映像計算装置２から電気的手段３によって立体映像を伝送し、立体映像表示装置１によって表示する。【００２０】  以上のように、本実施形態によれば、映像表示部分の大きさの大小に関わらず、視聴者６にとって最適な立体映像が得られるものである。
【符号の説明】
【００２１】１  立体映像表示装置
２  立体映像計算装置
３  立体映像を伝送する電気的手段
４  映像表示部分の大きさ情報を伝送する電気的手段
５  映像表示部分の大きさ情報を入力することができる電気的又は機械的手段
【図１】
2011199818.tif 000003
【図２】
2011199818.tif 000004
【図３】
2011199818.tif 000005